(57)【要約】【課題】情報受給者が、真の生活圏の情報を短時間で簡単に抽出でき、また、地図のように情報量を制限される事なく、見やすくリスト表示で閲覧することができるようにする。【解決手段】インターネットを介して接続された情報受給者の端末に対して、制御手段１は、１つ以上の所定の位置情報を、指定するように促すとともに、予め記憶手段３に記憶された地図情報に基づいて、各々の位置の中心となる概算緯度経度を算出することによって、その周辺に位置する店舗等の情報提供者、即ち所定の位置の緯度経度に近い座標値を有する情報提供者の情報を記憶手段４から抽出し、情報受給者の端末に対して、見やすくリスト表示形式で出力する。【選択図】図３
2010044788.tif 000002
【特許請求の範囲】
【請求項１】
コンピュータネットワークを介して情報を供給する供給方法において、
情報提供者の端末に対しては、基本情報（会社名、住所、電話番号、分類等）の入力を促す一方、入力された住所情報を元に、予め記憶されていた地図情報に基づき、概算緯度経度情報を逐一付加して記憶されるステップと、予め前記情報提供者の端末で入力した情報を一括して転送するステップを備え、
情報受給者の端末に対しては、位置情報（居住地、勤務地、乗換駅等）の入力を促す一方、入力された位置情報を元に、予め記憶されていた地図情報に基づき、位置情報を概算緯度経度情報に算出して記憶するステップと、算出された概算緯度経度情報に基づき、前述した情報対象物の分類によって図像化された情報を付加して一覧表示するステップと、一覧表示された対象物情報に関連づけられた詳細情報の参照を奨めるステップと、抽出された情報及び、それに関連づけられた詳細情報を前記情報受給者の端末に対して出力するステップと、それらを前記情報受給者の端末に保存するステップと、保存された指定情報を参考に、最新対象物情報を再抽出するステップと、その再抽出をスケジューリングするステップを備える事を特徴とする対象物情報の供給方法。
【請求項２】
情報提供者に対して、基本情報（会社名、住所、電話番号、分類等）の入力を促すステップと、入力された住所情報を元に、予め記憶されていた地図情報に基づき、概算緯度経度情報を逐一付加して記憶されるステップを備えることを特徴とする公開情報の登録方法。
【請求項３】
情報提供者に対して、識別ＩＤを入力することを促すステップと、入力された識別ＩＤによって、前記情報提供者の公開情報に関する更新・削除を許可するか否かを決定するステップを備える事を特徴とする請求項２に記載の公開情報の登録方法。
【請求項４】
前記公開情報は、少なくとも前記公開情報の分類情報、及び情報毎の公開範囲（距離）・公開日時を含むことを特徴とする請求項２または３に記載の公開情報の登録方法。
【請求項５】
前記基本情報及び公開情報は、予め情報提供者の端末にて入力しコンピュータネットワークを介して一括して転送するステップを備える事を特徴とする請求項２乃至４のいずれか一項に記載の公開情報の登録方法。
【請求項６】
情報受給者の指定した分類条件は、情報受給者の指定した位置情報毎に記憶するステップを備えることを特徴とする公開情報の供給方法。
【発明の詳細な説明】
【技術分野】
【０００１】
本発明は、地域情報提供システムに関するものである。
【背景技術】
【０００２】
従来より、所定の位置および、その付近の地域の情報を地図上で表示させることは出来た。また、住所を入力することによって、その住所内の情報をリスト表示することは出来た。これにより、自分の住居の近くにある情報を収集することが出来た。
【発明の概要】
【発明が解決しようとする課題】
【０００３】
しかし、地図を表示するにはそのデータの特性上（データ量が多い）非常に時間的コストがかかる。又、地図上に情報を表示するには、文字数が限定され必要な情報をより多く表示できないという問題点がある。必要な情報をより多く表示させるには、地図上に表示されている情報をクリックし、詳細情報を別画面に表示することで実現が可能になるが、再度、別の情報を参照する場合には、再び時間のかかる地図の再表示を行い地図をクリックしなければならない。これは多大なる時間を費やすという問題点がある。また、１つの地図には１つのエリアしか表示することが出来ず、複数の地域の情報を同時に表示することは出来ないという問題点がある。例えば、居住地と勤務地の隣接しない２つの異なる地域の情報を欲するときは、地域の選択操作を１つ１つ行わなければならず、そこから詳細情報を閲覧するためには長い時間を費やしてしまう問題点がある。必要な情報を表示させることに長い時間を費やすと、電話回線を介してこのようなサービスを享受する場合、端末装置とサーバがオンラインで接続されているので、電話回線使用料等の費用が増大することにもなる。また、情報提供者は地図上に表示させるために何らかの手法を使って正確な緯度経度情報を登録しなければならない。同じく情報提供者は地図の表示地区を限定するために何らかの手法を使って緯度経度情報を選択しなければならない。この作業を地図を利用して行った場合、前述したように多くの時間を必要とし割高な登録方法となる。
住所を入力する方法では、その住所の文字情報から文字を頼りに一致する情報を抽出するため、距離的に近い情報を抽出することが出来ないという問題点がある。例えば○○市の住所を有するが、実際には××市に隣接するところに住居がある場合、○○市と××市の住居に隣接する地域の情報を抽出したいが、文字情報からの抽出であるので○○市に関する情報しか表示されない場合がある。また同時に、同じ○○市の情報であっても、距離的には遠い地域の情報まで表示されてしまう場合もある。
【０００４】
本発明は、上述の状況に鑑みてなされたものである。その目的とするところは、複数の地域にまたがる生活圏の情報を短時間で簡単に抽出・保存でき、また、地図のように情報量を制限される事なく、日々更新される最新情報を、見やすくリスト表示が出来るような地域情報サービスを提供することにある。また、情報提供者および情報受給者に対し、緯度経度情報の登録を意識させない利便性を提供することにある。
【課題を解決するための手段】
【０００５】
上述した問題を解決するために、本発明の一態様にあっては、コンピュータネットワークを介して情報を供給する供給方法において、情報提供者の端末に対しては、基本情報（会社名、住所、電話番号、分類等）の入力を促す一方、入力された住所情報を元に、予め記憶されていた地図情報に基づき、概算緯度経度情報を逐一付加して記憶させるステップと、予め前記情報提供者の端末で入力した情報を一括して転送するステップを備える一方、情報受給者の端末に対しては、位置情報（居住地、勤務地、乗換駅等）の入力を促す一方、入力された位置情報を元に、予め記憶されていた地図情報に基づき、位置情報を概算緯度経度情報に算出して記憶するステップと、算出された概算緯度経度情報に基づき、前述した情報対象物の分類によって図像化された情報を付加して一覧表示する段階と、一覧表示された対象物情報に関連づけられた詳細情報の参照を奨める段階と、抽出された情報及び、それに関連づけられた詳細情報を前記情報受給者の端末に対して出力するステップと、それらを前記情報受給者の端末に保存するステップと、保存された指定情報を参考に、最新対象物情報を再抽出するステップと、その再抽出をスケジューリングするステップを備える事を特徴とする。本発明の他の態様にあっては、情報提供者の情報登録方法において、情報提供者に対して、基本情報（会社名、住所、電話番号、分類等）の入力を促す一方、入力された住所情報を元に、予め記憶されていた地図情報に基づき、概算緯度経度情報を逐一付加して記憶されるステップを備えることを特徴とする。本発明の好ましい態様にあっては、前記公開情報の登録方法において、情報提供者に対して、識別ＩＤを入力するステップと、入力された識別ＩＤによって、前記情報提供者の公開情報に関する更新・削除を許可するか否かを決定するステップを備える事を特徴とする。本発明の好ましい態様にあっては、前記公開情報の登録方法において、前記公開情報は、少なくとも前記公開情報の分類情報、及び情報毎の公開範囲（距離）・公開日時を含むことを特徴とする。本発明の好ましい態様にあっては、前記登録方法において、予め情報提供者の端末にて入力しコンピュータネットワークを介して一括して転送するステップを備える事を特徴とする。本発明の他の態様にあっては、情報受給者が位置や分類を選択時に、情報受給者の指定した分類条件は、情報受給者の指定した位置情報毎に記憶するステップを備えることを特徴とする。本発明の参考例あっては、コンピュータシステムにより、情報受給者が１つ以上の所定の位置情報（居住地、勤務地、乗換駅等）を、住所や郵便番号、駅名を入力することによって指定すると、各々の位置の中心となる概算緯度経度が算出され、その周辺に位置する店舗等の情報提供者、即ち所定の位置の緯度経度に近い座標値を有する情報提供者の情報が抽出される事を特徴とする。複数の指定された位置周辺の情報を指定位置毎に抽出し、又、抽出範囲を所定の位置から距離で指定する事により距離から差分緯度経度値を算出し、その範囲内にある対象物のみ抽出する。その為、指定位置毎に分類し、距離順にリスト表示する事を特徴とする。前記対象物情報の供給にあって、少なくとも前記対象物の分類を示す分類情報を含む事が好ましい。また、前記対象物情報の供給方法において、前記対象物情報毎に異なる図像を付加する事が可能であることが好ましい。また、前記供給方法において、情報受給者に対して少なくとも一つ以上の分類を選択するように奨めるステップを備え、情報提供者の一覧表示には、選択された分類の対象物情報と図像化された分類を付加して表示する事が好ましい。情報受給者は指定した複合地区及び表示分類を、識別ＩＤの入力を奨めるステップと、入力された識別ＩＤによって情報受給者の指定情報を保存・参照することが可能であるか否かの決定するステップを備え、一度指定した複数位置・分類情報を識別ＩＤに置き換え、再利用出来る事が好ましい。情報受給者は、複数地域及び分類を指定して抽出された情報提供者に対し、当該対象物情報あるいは、情報受給者自身に関する事項の入力を奨めるステップと、入力された事項を、当該対象物の情報を入力した情報提供者に転送する事が好ましい。
【０００６】
情報受給者が１つ以上の所定の位置（居住地、勤務地、乗換駅等）を、住所や郵便番号、駅名を入力することによって指定すると、各々の位置の中心となる概算緯度経度が算出され、その周辺に位置する店舗等の情報提供者、即ち所定の位置の緯度経度に近い座標値を有する情報提供者の情報が読み出される。また、情報提供者の緯度経度の座標値は、住所の登録によって概算され算出・保存されている。従って、情報受給者にとっては、簡単な入力によって、必要とする複数の地域の情報、即ち真の生活圏の情報を収集することができ、店舗等の情報提供者にとっても、住所入力のみでそこを生活圏とする情報受給者に情報を提供することができる。しかも、経緯度による座標値で位置を特定する為、おのおの所定の位置から表示範囲を距離で指定でき、また、距離の近いもの順にリスト表示することも可能である。しかも、情報提供者の店舗等の情報は業種ごとに分類されるので、情報受給者は、地域の他に業種も選択でき、選択した業種の情報のみの表示が可能になる。また、収集された情報は、距離の近いもの順、業種別等で、リスト表示される。従って、情報受給者にとっては、店舗等の名前のみの情報だけでなく、商品などの詳細な情報や最新情報を簡単な操作で短時間に、しかも見やすく抽出する事が出来る。
【０００７】
情報受給者が一度設定した複合指定地域及び各表示分類をサーバに保存することが可能である。よって指定情報を登録済の情報受給者はオリジナルなＩＤ及びＵＲＬを利用することにより、次回からサーバにアクセスした時点で自分専用の情報を閲覧する事が出来る。また、これらの保存された情報受給者の情報には指定地域が保存されている為、情報提供者の最新ニュースを地域限定で登録済み情報受給者にメールマガジンとして配送することが可能となる。これは、その地域に住んでいる人にしか必要の無いニュースの場合、情報提供者及び、情報受給者両者に非常にメリットとなる。
【０００８】
情報受給者は、既にデータベースにある情報のみを収集するだけではなく、情報受給者から地域を指定して情報提供者に情報を発信することが簡単な操作で可能である。従って、情報受給者にとっては、自分の希望商品と希望価格と地域を指定し、情報発信することによって、自分の生活圏に属する希望を満たしてくれる情報提供者に情報を発信する事が出来る。一方、情報提供者にとっては、自分の商圏に属する情報受給者の情報のみを収集し、効率的かつ対話的な営業をする事が出来る。
【０００９】
情報受給者は自分の端末に対象物情報を保存出来る為、常時電話回線などを介して利用する必要がなく、オリジナルアプリケーションを利用する事によって、オフラインで保存された対象物情報を閲覧することが可能である。また、情報受給者は、所定の位置を一度登録しておけば、簡単な操作でその周辺の情報をオンラインで一括収集し、その後、オフラインでゆっくり閲覧することが可能となり電話回線使用料・ＩＳＰ接続料等の費用が節約出来る。しかも、その再抽出はスケジューリングが可能な為、インターネット冷蔵庫の様な２４時間稼働端末にて一定時間おきに一括収集し、ダイヤルアップ接続のような非常時接続でも常に最新の情報を閲覧する事が可能となる。
例えば、デリバリー可能な周辺のランチやピザ会社の最新メニューを常に一覧表示したり、周辺のセール日時など毎日チェックしておきたい最新情報を常に表示させておくことができる。これは情報提供者の広告費及び、情報受給者の接続料の大幅な削減となり非常にメリットなる。
【００１０】
情報提供者は、提供情報の種類によって、異なる地域範囲を指定して、情報を公開することが可能である。たとえば、デリバリー情報は、「○○市内」を指定して公開し、他の商品情報は、「××地区全域」を指定して公開する等である。従って、情報提供者にとっては、自分の商圏と関係のない情報受給者からの問い合わせ等を受けることがなくなり、効率的な業務をする事が出来る。一方、情報受給者にとっては、利用できないサービスの情報を閲覧する事がなくなり、利用できる情報のみを収集する事が出来る。また、各情報には、公開日時が付加されている為、情報の公開日時が終了した場合、その情報は表示されない。よって情報受給者は既に終わった情報を間違って収集する事が無く、また情報提供者は情報の削除作業が軽減される。また、情報提供者は、広告情報に公開範囲を設定する事によって、地域を限定したバナー広告等を表示する事が可能となり、課金制度の場合、非常に有益なコストダウンを実現する事が出来る。
【００１１】
情報提供者の情報登録は、専用アプリケーションを利用して情報提供者端末でデータを管理し、登録情報のみをサーバ内のデータベースに送信することによって行われる。従って、情報提供者にとっては、情報の登録、更新、削除の作業は、時間をかけて行い、表示確認を慎重に行う事が出来る。電話回線などを介してデータを送信する時間は短縮され通信費の節約となる。また、サーバ側のデータをオンラインの状態で直接更新する場合、直ぐに間違いに気がついて訂正しても情報受給者は既にその情報をダウンロードしている可能性があるので、オフラインで作業することはそのような支障を未然に防ぐ事に役立つ。
【００１２】
情報提供者はどの地域の情報受給者が主に閲覧しているか等のマーケット情報を取得する事が可能である。その為、人的営業範囲や新聞折込広告範囲を決める上で非常に役立つ情報を収集する事が可能である。
【発明の効果】
【００１３】
本発明によれば、希望の地域を登録済みの代表ポイント（郵便番号、住所、駅等）から、概算緯度経度を特定することにより、希望地域の周辺情報を簡単に収集できる。また、その希望地域も必要とする複数地区（居住地、勤務地、乗換駅等）を保存できるため、ユーザは、１回の操作で真の生活圏の情報を短時間で簡単に収集し、地区別および項目ごとに分類ソートできるようになる。また、情報提供者は基本情報（住所）のみの登録で概算緯度経度が設定される為、公開情報の範囲を簡単に指定する事が可能である。そして、クライアント及びユーザは、緯度経度情報の登録を全く意識する必要がなくなる。
【図面の簡単な説明】
【００１４】
【図１】本発明における全体概要を示す図である。
【図２】同実施形態における実施形態の構成を示すネットワーク図である。
【図３】同実施形態におけるシステムの構成を示すブロック図である。
【図４】同実施形態におけるサーバの構成を示すブロック図である。
【図５】同実施形態におけるサーバの構成を示すブロック図である。
【図６】同実施形態における動作を示すフローチャートである。
【図７】同実施形態における動作を示すフローチャートである。
【図８】同実施形態における動作を示すフローチャートである。
【図９】同実施形態における総合メニュー画面の構成を説明する為の図である。
【図１０】同実施形態における複合メニュー画面の構成を説明する為の図である。
【図１１】同実施形態におけるユーザ情報登録画面の構成を説明する為の図である。
【図１２】同実施形態におけるクライアント詳細情報画面の構成を説明する為の図である。
【図１３】同実施形態におけるクライアント個別情報画面の構成を説明する為の図である。
【図１４】同実施形態におけるショッピング情報画面の構成を説明する為の図である。
【図１５】同実施形態におけるおしえてメール送信画面の構成を説明する為の図である。
【図１６】同実施形態におけるメール閲覧画面の構成を説明する為の図である。
【図１７】同実施形態におけるクライアントログイン画面の構成を説明する為の図である。
【図１８】同実施形態におけるクライアント情報の登録画面の構成を説明する為の図である。
【図１９】同実施形態におけるクライアントのマーケット情報閲覧画面の構成を説明する為の図である。
【図２０】同実施形態におけるクライアントアプリケーションにおける情報更新画面の構成を説明する為の図である。
【図２１】同実施形態におけるクライアントアプリケーションにおけるおしえてメール閲覧画面の構成を説明する為の図である。
【図２２】同実施形態におけるクライアントアプリケーションにおける受注情報閲覧画面の構成を説明する為の図である。
【図２３】同実施形態におけるユーザプリケーションにおける総合エントランス画面の構成を説明する為の図である。
【図２４】同実施形態におけるユーザプリケーションにおけるおしえてメール画面の構成を説明する為の図である。
【図２５】同実施形態におけるユーザプリケーションにおけるショッピング画面の構成を説明する為の図である。
【発明を実施するための形態】
【００１５】
まず、本発明の実施形態の説明をする前に、本願発明の位置づけを説明する。対象物情報とはある者がその者の技術・アイディア・商品・サービス等に関し、その情報を欲する受給者又は消費者に対して公開等を行うことであるが、その情報の公開は第三者を介して行われる事もある。本願発明はこのような「第三者」に相当する部分である。次にこのような本願発明の位置付けを考慮して、以下の説明で使用する字句等の意味を定義する。例えば、以下の説明では本願発明である「第３者」と契約し対象物情報を公開する者、即ち情報提供者を「クライアント」とし、対象物情報を受給又は消費する者、即ち情報受給者を「ユーザ」としている。ここで、情報提供者を「クライアント」、情報受給者を「ユーザ」と表現したのは、公開された対象物情報に対して「このような情報は無いですか？」というようなリクエストを情報受給者が公開した場合、情報受給者が情報提供者と混同されるおそれがあるからである。
【００１６】
１：全体構成
以下、本発明における実施形態について図面を参照して説明する。
図２は、本実施形態の構成を示すブロック図である。この図において、システム（おしえてネット）は本システムであり、経路制御装置、電話回線（公衆電話回線網）を介してインターネットに接続されている。符号００１、００２は、各種ＰＣ（端末装置）であり、システム（おしえてネット）と同様にしてインターネットに接続されている。ここで、ＰＣ００１、００２は、それぞれＣＲＴやＬＣＤの表示部とともに、キーボード、マウス等の入力部、データ保存等を行うハードディスク装置、その他ＣＰＵ、ＲＯＭ／ＲＡＭを有する。
【００１７】
１−１：システムの構成
次に、システム（おしえてネット）の詳細構成について説明する。図３は、システム（おしえてネット）の構成を示すブロック図である。以下、前述の通り情報提供者をクライアント、情報受給者をユーザと表記する。
【００１８】
図３において符号１は制御手段であり、ＣＰＵ等から構成され、各部の制御、インターネットを介して接続されたＰＣから入力されるデータの制御や、ＰＣに出力されるデータの制御、データの転送、種々の演算、等を行う。符号２〜７は、いずれも記憶手段であり、それぞれ以下のファイルが格納、記憶されている。また、符号８、制御手段であり、ＣＰＵ等から構成され、各部の制御、インターネットを介して接続されたサーバとの通信や、保存されているデータの制御、データの転送、種々の演算、等を行う。符号９は、記憶手段でありクライアント用プログラム、サーバへ登録済み及び登録前のデータ及びユーザとの通信記録が保存されている。符号１０は制御手段であり、ＣＰＵ等から構成され、各部の制御、インターネットを介して接続されたサーバとの通信や、保存されているデータの制御、データの転送、種々の演算、等を行う。符号１１は、記憶手段でありユーザ用プログラム、サーバからダウンロードしたデータ、更新記録等が保存されている。
【００１９】
まず、記憶手段２には、メインプログラムが記憶されている。かかるメインプログラムは、制御手段１において用いられるものであり、例えば、住所からその位置の概算緯度経度を算出するプログラム・ユーザＰＣの表示部に案内画面を表示させるプログラム・ユーザの選択した地域のみの情報を収集して表示させるプログラム・位置情報から表示情報を検索・ソートするプログラム・ユーザの情報を登録するプログラム・ユーザがクライアントと情報交換するプログラム・ユーザの検索パターン等を記録するプログラム等、から構成される。これらの動作については、いずれも後述する。次に記憶手段３には、地図データが記憶されている。本実施形態における地図データは、住所別緯度経度情報、郵便番号別緯度経度情報、駅別緯度経度情報、代表施設緯度経度情報の４種類があり、これらが記憶されている。記憶手段４には、クライアント情報が記憶されている。かかるクライアントファイルは、クライアント登録番号毎に作成されるものであり、１つのクライアント登録番号に対応するクライアントファイルは、登録者ＩＤ、公開情報、緯度経度情報、公開範囲情報等のように、クライアント固有の情報から構成される。このうち、公開情報は、さらに、「店名」「電話番号」「ＦＡＸ番号」「住所」「広告」等のように、種々の情報から構成される。なお、クライアント番号は、ＰＣからの登録があった場合に、制御手段１により自動的に付与されるものである。なお、クライアントファイルは、登録番号に１つであるが、それぞれ業種（表示項目）毎に分類、記憶されている。また、ショッピングデリバリーを希望するクライアントは商品毎に処理を受け付ける時間を指定する事が可能であり、ランチのデリバリー業務の様に午前９より午前１１時迄受付、その時間帯以外は、後述されている通信手段を利用してユーザが発注する場合、メインプログラム／制御手段１はリクエストに対して「受付終了」等のメッセージに置き換える事が可能である。記憶手段５には、ユーザ情報が記憶されている。かかるユーザファイルは、ユーザ登録番号毎に作成されるものであり、１つのユーザ登録番号に対応するユーザファイルは、登録者ＩＤ、地区指定情報等のように、ユーザ固有の情報から構成される。このうち、地区指定情報は、さらに、「パスワード」「メールアドレス」「緯度経度」「収集分類」「収集半径」ショッピング希望者は、「クレジットカード番号」「配送先住所」「配送先電話番号」等のように、種々の情報から構成される。なお、クライアント番号は、ＰＣからの登録があった場合に、制御手段１により自動的に付与されるものである。記憶手段６には、ユーザとクライアントの通信情報が記憶されている。かかる通信情報はユーザがクライアントに送るリクエスト情報とクライアントが返答するレスポンス情報が存在する。リクエスト情報には、ユーザが指定したエリア及び分類に該当するクライアント毎に問い合わせ内容が保存されている。その内容は、「クライアントメールアドレス」「リクエストＩＤ」「リクエスト内容」であり、クライアントプログラム／制御手段８によって各クライアントに参照される。レスポンス情報は、「リクエストＩＤ」「レスポンス内容」「クライアント連絡手段」であり、メインプログラム／制御手段１によって定期的にユーザに転送される。記憶手段７には、マーケット情報が記憶されている。かかるマーケット情報は、ユーザが様々な検索や情報閲覧をした場合、その検索パターンや検索結果に対してどのクライアント情報の詳細データを参照したか？等を地区別に記憶している。例えば、１９０００２１で登録したユーザがマンション情報を検索する際に、「ＪＲ中央線立川駅周辺１ｋｍ以内」、「３ＬＤＫ」，「３，５００万円以下」で検索した場合その検索パターン、及び、そのユーザがピックアップした物件のどの詳細情報を参照したか等を蓄積し、地区別ユーザの潜在希望の情報として活用することを目的としている。また、制御手段１によりある一定時間毎に閲覧・２次利用のために再加工され蓄積される。記憶手段９には、クライアントプログラムが記憶されている。かかるクライアントプログラムは、制御手段８において用いられるものであり、例えば、サーバに登録しているクライアント情報を参照・追加更新するプログラム、クライアントがユーザリクエストを閲覧するプログラム、ユーザからの個別のメールを管理するプログラム等、から構成される。これらの動作については、いずれも後述する。また、クライアント情報が記憶されている。かかるクライアントファイルは、登録者ＩＤ、公開情報、公開範囲情報等のように、クライアント固有の情報が記憶されている。このうち、公開情報は、さらに、「店名」「電話番号」「ＦＡＸ番号」「住所」「広告」等のように、種々の情報から構成される。また、ユーザからのリクエスト情報の情報やユーザとの通信記録及びメールアドレス等が保存されている。記憶手段１１には、ユーザプログラムが記憶されている。かかるユーザプログラムは、制御手段１０において用いられるものであり、例えば、現在サーバに登録しているユーザ情報を参照して最新クライアント情報を記憶手段１１に保存・更新するプログラム、記憶手段１１に保存されたクライアント情報を閲覧するプログラム、ユーザがクライアントと情報交換するプログラム等、から構成される。これらの動作については、いずれも後述する。また、ユーザ情報及び複数のクライアントファイルが記憶されている。ユーザファイルは、サーバにアクセスする為に認証データが保存されている。クライアントファイルは、「店名」「電話番号」「ＦＡＸ番号」「住所」「広告」等のように、種々なクライアント情報から構成される。
【００２０】
１−２：メインプログラム
【００２１】
１−２−１：クライアントが公開情報を登録するプログラム
情報公開したいクライアントは、メインプログラム／制御手段１に於いて表示された案内画面を参照し、登録ページにアクセスして公開情報を登録・変更・削除する事が出来る。「登録」ボタンを押下した場合、メインプログラム／制御手段１をかいして記憶手段４に保存される。クライアントは地図データを入力する必要はなくメインプログラム／制御手段１によって記憶手段３を参照して概算緯度経度情報が記憶手段４に保存される。また、公開データには公開範囲を予め設定しておくことによって、メインプログラム／制御手段１が表示期間を一括管理する。例えば「新入荷」という情報は、掲載後約１ヶ月公開し、「＊＊セール」は、セール前１週間からセール最終日迄公開といった公開手段を選択する事が出来る。又、情報交換範囲を指定出来る。例えば仕出しと団体予約を受け付けている飲食店があった場合、メインプログラム／制御手段１は、来客に関する問い合わせ範囲は多摩地区全域、仕出し（デリバリー）に関しては、店舗位置より１０ｋｍ周辺のみのユーザに情報を公開する。
【００２２】
１−２−２：住所からその位置の概算緯度経度を算出するプログラム
メインプログラム／制御手段１はクライアントの住所情報登録及び更新時に、住所データを元に記憶手段３を参照して自動的に概算緯度経度情報を付加及び更新する（図４を参照）。
【００２３】
１−２−３：ユーザＰＣの表示部に案内画面を表示させるプログラム
メインプログラム／制御手段１は、記憶手段２に保存されているＨＴＭＬ（ハイパーテキストマークアップランゲージ）・画像ファイル（ＧＩＦ，ＪＰＧ形式）及び、ＪＡＶＡＳｃｒｉｐｔ（ジャバスクリプト）他ＣＧＩプログラムを参照して、各案内画面を生成しインターネットを介してアクセスしているユーザ及びクライアントに情報を転送する。
【００２４】
１−２−４：ユーザの選択した地域のみの情報を収集するプログラム
ユーザはメインプログラム／制御手段１に於いて、表示された案内画面を参照し自分の生活圏の情報抽出に必要な郵便番号、駅名等及び抽出範囲、抽出分類を指定する。記憶手段３には、予め指定する項目（郵便番号・駅名等）に対する緯度経度情報が記憶されている。その情報を元にユーザは自分の選択地区を複数決定する。メインプログラム／制御手段１はユーザが設定した項目の緯度経度情報を記憶手段３を参照して抽出する。続いてメインプログラム／制御手段１は抽出された地点の緯度経度情報に抽出範囲の緯度経度情報を±することによって抽出範囲の緯度経度を算出する。そして、その抽出範囲の緯度経度に当てはまるクライアント情報を記憶手段４より抽出する（図４を参照）。
【００２５】
１−２−５：位置情報から表示情報を検索・ソートし表示するプログラム
１−２−４によって抽出された情報は、メインプログラム／制御手段１をかいして記憶手段４に格納されているクライアントの分類項目を参照し、ユーザが指定した分類項目に当てはまる情報のみ選別される。また、指定緯度経度値とクライアント緯度経度の差分の絶対値を算出し近い順にソートする。そして、その情報はメインプログラム／制御手段１によりＨＴＭＬ（ハイパーテキストマークアップランゲージ）に変換し、インターネットを介してアクセスしているユーザに転送する。
【００２６】
１−２−６：ユーザが個人情報を登録するプログラム
メインプログラムに於いて、表示された案内画面を参照し、ユーザは個人登録ページにアクセスする。その時、メインプログラムは制御手段１を介して記憶手段５にアクセスしユーザ情報を抽出し、未登録の場合は新規登録画面・登録済みの場合は更新画面をＨＴＭＬ（ハイパーテキストマークアップランゲージ）に変換してインターネットを介しアクセスしているユーザに提供する。この新規登録画面・登録済みの場合は更新画面にユーザはメールアドレス・パスワード、選択条件等を入力する。そして更新ボタンがクリックされた時点で、メインプログラムは制御手段１を介して記憶手段５にユーザ情報を格納する。
【００２７】
１−２−７：ユーザがクライアントと情報交換するプログラム
メインプログラムに於いて、表示された案内画面を参照し、ユーザは各クライアントに対しリクエストを送信する事ができる。入力されたリクエストは制御手段１を介して記憶手段４から、ユーザが指定した地域のクライアント情報を抽出する。次に制御手段１は、記憶手段５のユーザ情報と記憶手段４のクライアント情報を比較して、メッセージを送信すべきクライアントを選別する。次に、制御手段１は各リクエストにユニークなリクエストＩＤを自動的に割り振り、ユーザの入力情報に付加して、各クライアント毎に記憶手段６に保存される。ユニークなリクエストＩＤはユーザメールアドレスと相対した形で記憶手段６に保存される。各クライアントは、クライアントプログラム／制御手段８をかいして自分宛のリクエストのみを参照する事ができる。そして、ユーザのリクエストに対して条件が合った場合、クライアントプログラム／制御手段８を介してレスポンスを返送する。しかし、ユーザのリクエストにはプライバシー保護の為、メールアドレスは無い。その為、レスポンスは一時、メインプログラム／制御手段１をかいして記憶手段６に保存される。メインプログラム／制御手段１は定期的に記憶手段６に蓄積されたレスポンスを参照し、記憶手段６を参照してリクエストＩＤを各ユーザのメールアドレスに変換する。そして、それぞれのアドレスに各クライアントのレスポンスを転送する。転送完了時点で記憶手段６のレスポンス情報は消去される（図５を参照）。また、リクエストがショッピングの場合は、ショッピングＩＤが自動発行され、発注内容と共にユーザのメールアドレスへ確認メールが転送される。そして、記憶手段５に保存されている「クレジット番号」「配送先住所」「配送先電話番号」とが付加され、メインプログラム／制御手段１を介して記憶手段６に保存される。この追記情報は、送信時に変更する事も可能であり、商品によって自宅・会社等に配送先を変更することが可能である。
【００２８】
１−２−８：ユーザがメールを購読するプログラム
メインプログラムに於いて、表示された案内画面を参照し、メール閲覧のページにアクセスし自分のメールアドレス又は、当社より割り振られたメールアドレスを閲覧する。その場合、予め制御手段１を介してユーザが契約しているＩＳＰ等のメールサーバアドレス、及びメールアドレスを記憶手段５に格納しておく必要がある。ユーザが「購読」ボタンを押下した場合、制御手段１は各メールサーバにアクセスする。そして「パスワード入力」を促すメッセージをユーザに対して行う。ユーザはそれに従い、パスワードを入力し「認証」ボタンを押下する。制御手段１はメールサーバとの認証が完了した場合、未読又は、既読のメールをＨＴＭＬ（ハイパーテキストマークアップランゲージ）に変換しユーザに表示する。ここに於いてクライアントからのレスポンスを閲覧した場合、必要に応じて返信メールを作成・送信する事が出来る。返信されたメールは制御手段１によって当社メールサーバを介して各クライアントに配布される。その後のユーザとクライアントの情報交換は通常のメールシステム及び、公衆回線等を利用して自由に行うことが出来る。
【００２９】
１−２−９：ユーザの検索パターン等を記録するプログラム
ユーザは、メインプログラムに於いて表示された案内画面を参照し、様々な地域を指定して分類項目別の検索、及び検索結果の閲覧を行う。このような様々なユーザの行動は制御手段１を介して行われる。その為、制御手段１では毎回そのデータを記憶手段７に蓄積する。次に制御手段１は、一定時間毎にマーケット情報を集計し別途保存する。また、データベース標準フォーマットで蓄積される為、その後、様々なデータベースと統合し二次利用する事が可能である。
【００３０】
１−２−１０：ユーザの検索パターン等をクライアントが閲覧するプログラム
各クライアントは、メインプログラムに於いて、表示された案内画面を参照し、マーケット情報閲覧画面にアクセスする。「閲覧」ボタンを押下した場合、メインプログラムは制御手段１を介して、記憶手段７に蓄積されているマーケット情報を抽出する。ここでは、「集計期間」「エリア」等を指定する事により、制御手段１は、記憶手段７のマーケット情報を様々な角度から分析・集計・グラフ化する事が可能である。その情報は制御手段１によりＨＴＭＬ（ハイパーテキストマークアップランゲージ）に変換し、メインプログラムを介して、インターネットを介しアクセスしているクライアントに提供される
【００３１】
１−３：クライアントプログラム
【００３２】
１−３−１：サーバに登録しているクライアント情報を参照・追加更新するプログラム
情報公開したいクライアントはクライアントプログラム／制御手段８に於いて表示された編集画面を参照し、登録・編集する事ができる。この作業は、記憶手段９を参照しているため、ネットワーク接続の必要性がない。編集終了後、確認画面に於いてサーバ側で公開される同一フォーマットにて確認することが出来る。この効果はショッピング用の登録情報が多いクライアントにとっては通信コストの削減が出来ると共に、値段のミスを未然に防いでくれる。サーバ側を更新する場合、ネットワーク接続を行い、「登録」ボタンを押下する。クライアントプログラム／制御手段８は、メインプログラム／制御手段１にその最新データを送信し、メインプログラム／制御手段１は記憶手段４に最新データを保存する。
【００３３】
１−３−２：クライアントがユーザリクエストを閲覧するプログラム
クライアントは、クライアントプログラム／制御手段８を利用して、サーバ側にある記憶手段６より自分宛のリクエスト情報を、参照する事ができる。これは一括転送が可能で、記憶手段９に保存する事ができる。その為、転送後はネットワーク接続の必要は無くユーザに対するレスポンスをゆっくり参照することが出来る。また、各ユーザへのレスポンスは一時、記憶手段９に蓄積され、後に一括転送が可能の為、定期的に複数のレスポンスを一括転送することが可能である。クライアントはその時だけネットワーク接続を必要とし、通信費の節約を行う事ができる。また、ユーザからのリクエストが購買・配送の場合、リクエスト情報を参照して配送に必要なタックシール・請求書等の印刷を行う機能。それに伴う発注確認、配送確認、入金確認等の業務全般に関する機能を備えている。また、ユーザが発注する際にショッピングＩＤが発行されている為、そのＩＤが上記業務処理毎に割り振られ一括管理のユニークなＩＤとして扱われる。その為、ユーザからの問い合わせに対し、ショッピングＩＤを頼りに、瞬時に対応する事が可能であり、その情報は記憶手段９を参照する為、ネットワークへ接続する必要はない（図５を参照）。
【００３４】
１−３−３：ユーザからの個別のメールを管理するプログラム
ユーザからのダイレクトな返事は市販のメールソフトでも可能であるがクライアントプログラムでは、返信されたユーザからのメールを読み込む場合、自動的にそのメールアドレスを記憶手段９に保存することができる。そして様々なインフォメーションが発生した場合、登録されたユーザのメールアドレスに一括処理でメールを転送する事が可能である。
【００３５】
１−４：ユーザプログラム
【００３６】
１−４−１：最新クライアント情報を記憶手段１０に保存・更新するプログラム
ユーザは、ユーザプログラム／制御手段１０を使って、サーバに個人登録した情報を元に記憶手段４から各クライアント情報を一括転送し、記憶手段１１に保存する事が出来る。その為、転送後は、各クライアントの詳細情報を閲覧する際にネットワーク接続を必要としない。また、定期的にネットワーク接続後、「最新」ボタンを押下する事によって、記憶手段１１に登録されたそれぞれのクライアント情報を記憶手段４から一括ダウンロードする事ができる。その為、ユーザは一括ダウンロード時のみネットワーク接続を必要とし、通信コストを節約する事ができる。ダウンロードはスケジューリング機能を兼ね備えている為、将来的に「インターネット冷蔵庫」のような２４時間稼働方式の制御手段に移植して、常時接続なしに最新のエリア情報を定期的にダウンロードすることも可能である。
【００３７】
１−４−２：記憶手段１０に保存されたクライアント情報を閲覧するプログラム
ユーザは、ユーザプログラム／制御手段１０を利用して、記憶手段１１に保存されているクライアント情報をサーバ側と同等のフォーマットで閲覧する事が可能である。これは、ネットワーク接続を必要としない為、オフライン時や、モバイル環境でも閲覧する事が可能であり、通信コストを節約する事が出来る。将来的に「インターネット冷蔵庫」のような２４時間稼働方式の制御手段に移植して、常時接続なしに最新のエリア情報をユーザが閲覧することも可能である。特にデリバリー業務のようなクライアントを登録している場合、常に最新のメニューを表示させることが、低コストで実現できることとなる。
【００３８】
１−４−３：ユーザがクライアントと情報交換するプログラム
ユーザは、ユーザプログラム／制御手段１０を利用して、記憶手段１１に保存されているクライアントにリクエストを転送する事ができる。リクエスト情報を作成している間のネットワーク接続の必要性はない。ショッピングの場合も商品データは記憶手段１１に保存されている為、同じくネットワーク接続の必要はない。購入する商品はじっくり選び、決まった時点でネットワーク接続して、発注を行えばよいことになる。そして発注した場合、メインプログラム／制御手段１より、ショッピングＩＤが発行され、ショッピングＩＤと共にショッピング内容が確認メールとしてユーザに送信される。ユーザは、その後のクライアントとの連絡にショッピングＩＤを利用することによってお互いの確認事項を単純化できる。例えば、ランチをデリバリーしてくれるクライアントを５社登録している場合、好きなクライアントのメニューを参照し決定する。そしてネットワーク接続後、「発注」ボタンを押下する事によって指定したクライアントにリクエストが転送される。万が一、配送が遅れた場合には、このショッピングＩＤをもとにクライアントに確認できる。このようにユーザはユーザプログラム／制御手段１０を利用してショッピングや、デリバリー依頼のリクエストをより低コストでよりシンプルに実現する事が可能となる。
【００３９】
２：動作説明
次に、本実施形態の動作について説明する。ここでユーザＰＣ００１は、本システム（おしえてネット）と直接及び、ユーザプリケーションを利用して通信を行う。また、クライアントＰＣ００１は、本システム（おしえてネット）と直接及び、クライアントアプリケーションを利用して通信を行う。システム（おしえてネット）にユーザＰＣ００１が接続されると、制御手段１は、メインプログラムに従って、ユーザＰＣ００１を制御、または、ユーザ側プログラム／制御手段１０との相互通信を行う。システム（おしえてネット）にクライアントＰＣ００１が接続されると、制御手段１は、メインプログラムに従って、クライアントＰＣ００１を制御、または、クライアント側プログラム／制御手段８との相互通信を行う。
【００４０】
２−１：ユーザにおける当システム利用方法
ユーザがいかにして、地域情報を閲覧し、情報を発信することができるかについて説明する。
【００４１】
２−１−１：複数地域情報の閲覧
まず、図６に示したステップＳ１において、制御手段１は、ユーザＰＣの表示部に図９に示すような地域指定画面を表示する。そして、ユーザに対して、地域情報を必要とする複数地区、即ち「居住地区」「勤務地区」「最寄り駅」それぞれの位置情報と、その位置を中心とした情報を必要とするエリア範囲を入力するように促す。図９に示した画面では、入力ボックスＡ１、Ａ２の表示領域にマウスカーソルを位置させてクリックした後、入力部に所定地域の郵便番号をキーボードから入力する。エリア範囲は、プルダウン形式で選択させるボタンＡ３〜Ａ５がもうけられている。マウスカーソルを位置させてクリックすれば、情報が入力できる。最寄り駅に関しても、プルダウン形式で選択させるボタンＡ６〜Ａ９がもうけられている。マウスカーソルを位置させてクリックすれば、情報が入力できる。この画面に従って入力された情報は、ユーザがボタンＡ１０をマウスクリックすればシステム（おしえてネット）に送信される。
【００４２】
すると、これを検知した制御手段１は、手順を図６に示したステップＳ２に進ませて、ユーザＰＣの表示部に対し、図１０に示すような情報提供画面を表示する。
【００４３】
図１０に示されているように、複数の地域は、Ｂ９からＢ１１のタブで区切られている。図１０では、「立川市羽衣町」のタブがクリックされた状態で、この地域の情報が表示されているが、例えば、Ｂ１０をマウスクリックすれば、「渋谷区幡ヶ谷」の情報が表示される。
【００４４】
２−１−２：地域の登録
図６に示したステップＳ２において表示される、図１０に示すような情報提供画面において、かかる画面に表示されている、表示地区Ｂ２〜Ｂ４の地域情報を今後も必要とする場合には、プライベート情報として登録することができる。この登録をしておくと、図９に示すような画面で、位置情報、エリア範囲（Ａ１〜Ａ９）を指定する必要がなくなる。再度、同じ地区の地域情報を閲覧したい場合、その情報はより短時間かつ、簡単な操作で表示されるので、かかる場合に登録するとよい。
【００４５】
図１０に示すような情報提供画面において、ユーザはボタンＢ１をマウスクリックし「登録」の処理を選択する。すると、これを検知した制御手段１は、手順を図６に示したステップＳ３に進ませて、ユーザＰＣの表示部に対し、図１１に示すようなプライベート情報登録ページを表示させる。図１１に示した画面には、ユーザＩＤを入力する入力ボックスＣ１〜Ｃ２、パスワードを入力する入力ボックスＣ３、メールアドレス入力ボックスＣ４が表示される。入力ボックスＣ１の表示領域にマウスカーソルを位置させてクリックした後、入力部に好きなアルファベットを入力する。この後、同様にユーザはマウスカーソルを入力ボックスＣ２の表示領域に位置させてクリックし、入力部にユーザの居住地区の７桁郵便番号を入力する。そして、同様にユーザはマウスカーソルを入力ボックスＣ３の表示領域に位置させてクリックし、入力部にパスワードを入力する。また、同様にユーザはマウスカーソルを入力ボックスＣ４の表示領域に位置させてクリックし、入力部にメールアドレスを入力する。さらに、図１１に示した画面には、表示項目を選択するチェックボックスＣ４〜Ｃ２１が表示される。ユーザは、必要とする情報の表示項目を選択することができる。マウスカーソルをチェックボックスＣ５〜Ｃ２２のチェックボックス部分に位置させて、クリックするとチェックボックスにチェックが付く。
【００４６】
例えば、図１１に示すように、ユーザは、居住地区である「立川市羽衣町」において、「特選情報」「お店情報」「仕事情報」「お家情報」「ふれあい広場」「くらしの便利帳」の全ての情報を必要とするときは、全てのチェックボックスにチェックを付ければ良く、勤務地区である「渋谷区幡ヶ谷」においては、「ふれあい広場」「暮らしの便利帳」等の情報は、必要ないので、「特選情報」、「お店情報」、「お家情報」のみの、チェックボックスにチェックを付ければ良く、さらに、最寄り駅である、「新宿駅」においても同様に、「特選情報」「お店情報」にチェックを付ければよい。指定地域によって、必要とする情報は異なるが、それぞれの地域ごとに必要とする表示項目を選択してチェックを付ければ、それぞれの地域の必要な情報のみを表示することができる。
【００４７】
また、クライアント情報は削除されないため、時間の経過とともに増加する場合が考えられる。しかし、本システムによれば、クライアント情報に関して、表示期間が管理されているため、時間とともに膨大に増加することはない。ただ、それでも、表示情報を選ぶことができないとすると、膨大な情報が同一画面に表示され、真に必要な情報を得ることが困難となるが、ユーザの希望の業種のみを選択して表示される情報を絞り込めるので、このような不都合を回避することも可能となる。
【００４８】
なお、この表示項目は、図１１において、挙げたものに限られない。例えば、他の表示項目を追加することも可能である。なぜなら、これらは、クライアント情報のうちの表示項目情報（カテゴリ情報）により区別できるためである。
【００４９】
さて、ユーザは、図１１に示すようなプライベート情報登録ページにおいて、入力ボックスＣ１からＣ２２に入力した情報に誤りがなければ、ボタンＣ２３をマウスクリックし「登録」の処理を選択する。すると、これを検知した制御手段１は、ユーザＰＣの表示部に対し、「登録しました」旨の表示を行うとともに、図１１の情報登録ページにおいて、入力された情報と、図９の地域指定画面において入力した位置情報から、本システムにおいて検出された、それぞれの概算緯度経度情報、エリア範囲情報、を１つのユーザファイルとして、ユーザ登録番号を付し、記憶手段５（ユーザ情報）に格納する。この後、制御手段１は、手順を図６に示したステップＳ４ａに進ませ図１３に示すようなプライベート情報ページをユーザＰＣの表示部に表示させる。
【００５０】
このようにして、ユーザが一度表示した地域情報ページは、登録でき、これに対応してユーザファイルが作成され、記憶手段５（ユーザ情報）に格納されるのである。
【００５１】
２−１−３：登録画面の閲覧
図１１に示すような登録画面で、ユーザ情報を登録しておくことによって、ユーザは短時間かつ、一回の操作で再度同じ地域情報を表示させることができる。
ユーザは、図６に示したステップＳ１において、ユーザＰＣから「http://www.oshiete.ne.jp/ID?」の後に、ユーザＩＤ、を入力する。そして、ユーザＰＣがシステム（おしえてネット）に接続される。かかる操作により、制御手段１は、入力されたユーザＩＤに対応するユーザファイルを記憶手段５（ユーザ情報）から読み出し、図１３に示すようなプライベート情報ページをユーザＰＣの表示部に表示させる。
【００５２】
２−１−４：登録画面の変更・削除
ユーザにとっては、時間の経過とともに、生活圏は変化する可能性があり、登録した地域を変更、削除したい場合が生じる。かかる場合に、ユーザは、図６に示したステップＳ４ａの図１３に示すようなプライベート情報ページにおいて、「変更」「削除」処理を選択することができる。
【００５３】
図１３に示した画面には、ボタンＥ１〜Ｅ２が設けられている。ユーザはボタンＥ１、Ｅ２をマウスクリックし「変更」「削除」処理を選択する。「変更」を選択した場合には、制御手段１は、ユーザＰＣの表示部に対し、図１１に示すようなプライベート情報登録ページを表示させる。表示したい地域を変更したい場合には、ボタンＣ２４をマウスクリックし、「変更」の処理を選択する。すると、これを検知した制御手段１は、ユーザＰＣの表示部に対し、図９に示すような地域指定画面を表示する。図９に示した画面では、２−１−１のときと同様に、入力ボックスに必要な情報を入力すればよい。表示項目を変更したい場合には、図１１に示すような画面において、２−１−２のときと同様に必要な表示項目のチェックボックスにチェックを付け、必要ない表示項目のチェックボックスは、チェックをはずせばよい。チェックをはずすには、マウスカーソルをチェックボックス部分に位置させて、クリックするとチェックボックスのチェックがはずれる。
【００５４】
表示してある地域の情報が不要となり、削除したい場合には、ボタンＣ２５をマウスクリックし、「削除」の処理を選択する。すると、これを検知した制御手段１は、このユーザのユーザファイルから、当該選択位置情報を削除する。例えば、画面Ｃにおいて、ボタンＣ２５をクリックした場合には、このユーザファイルから、「渋谷区幡ヶ谷」の緯度経度情報、そのエリア範囲情報、その選択した表示項目情報を削除する。ユーザは、図１１で示すような情報のプライベート情報登録（変更）ページにおいて、「変更」「削除」作業が終了したら、ボタンＣ２３をマウスクリックし「登録」の処理を選択する。
【００５５】
すると、これを検知した制御手段１は、ユーザＰＣの表示部に対し、「変更を登録しました」旨の表示を行うとともに、図１１の情報登録ページにおいて、変更して入力された情報と、図９の地域指定画面において入力した位置情報から、本システム（おしえてネット）において検出された、それぞれの緯度経度情報、エリア範囲情報、の修正された情報を、修正前と同じユーザ登録番号のユーザファイルとして記憶手段５（ユーザ情報）に格納しなおす。この後、制御手段１は、手順を図６に示したステップＳ４ａの図１３に示すようなプライベート情報ページをユーザＰＣの表示部に表示させる。
【００５６】
２−１−５：詳細情報の表示（問い合わせメール・ショッピング）
地図上の情報表示に比べ、図１０、図１３に示すような情報提供画面における情報リスト表示によれば、必要最小限の情報は、収集できる。すなわち、Ｂ１４・Ｅ１４のクライアントの「店舗名」以外に、Ｂ１２・Ｅ１２の「住所」、Ｂ１３・Ｅ１３の「行事内容」、の情報が収集できるからである。なお、この行事内容等の項目は、これに限られない。たとえば、「代表商品」等にすることも可能である。しかし、リスト表示の内容のみでは、ユーザにとっては、必要十分な情報が入手できず、クライアントにとっても、十分な情報提供ができず、効率的な営業ができるとはいえない。そこで、図１０、図１３に示すような情報提供画面で、Ｂ５〜Ｂ８、Ｅ５〜Ｅ８の店舗名称をマウスクリックすることによって、図１２に示すようなクライアントの詳細情報ページを表示することができる。店舗名称が選択されると、制御手段１は、手順を図６に示したステップＳ４に進ませ、選択されたクライアント名に対応する詳細情報を記憶手段４（クライアント情報）から読み出し、図１２に示すような、クライアントの詳細情報ページをユーザＰＣの表示部に表示させる。
【００５７】
さて、ここで制御手段１は、手順をステップＳ９に進ませる。ここで、ユーザは、詳細情報ページから、そのクライアントに、問い合わせ（リクエスト）メールを送ったり、ショッピングをすることができる。問い合わせメールを送信する場合、ユーザは、図１２に示すような詳細情報ページのボタンＤ１をマウスクリックし、メール送信操作を選択する。すると、これを検知した制御手段１は、手順をステップＳ１１に進ませて、ユーザＰＣの表示部に図１５に示すようなメール送信画面を表示させる。ここで、ユーザは、問い合わせ内容を入力して、図１５で示すページのボタンＧ１（メール送信ボタン）をマウスクリックし、メール配信操作を選択する。すると、制御手段１は、この詳細情報を提示しているクライアントにこのメールを配信する。このように、ユーザは、クライアントに、自分の希望や、感想、質問等を簡単かつ迅速に伝えることができる。
【００５８】
なお、この情報発信のユーザのメールには、制御手段１によってリクエストＩＤが自動的に割り振られ、各クライアント毎に記憶手段６に保存される。そしてこれらの情報は、リクエストＩＤが付された情報として、クライアントに配信されるので、ユーザのメールアドレスがクライアントに直接表示されることはなく、ユーザのプライバシーは保たれる。
【００５９】
ユーザは、ショッピングをする場合は、図１２に示すような詳細情報ページのボタンＤ２をマウスクリックし、ショッピング操作を選択する。すると、これを検知した制御手段１は、手順をステップＳ１２に進ませて、ユーザＰＣの表示部に図１４に示すようなショッピング画面を表示させる。ここで、ユーザは、各商品の発注を入力して、図１４で示すページの発注ボタンＦ１をマウスクリックし、発注操作を選択する。すると、制御手段１は、この詳細情報を提示しているクライアントにこの発注情報を配信する。クライアントは、商品を購入したユーザがユーザ登録の際に予め登録した配送先住所を記憶手段５より参照して配送手続きを処理することも出来る。また、クレジットカードでの支払いの場合、同様にクレジットカード番号を参照することも出来る。
【００６０】
図１２の詳細情報を閲覧後、ユーザがボタンＤ３をマウスクリックすると、制御手段１は、手順を図６のステップＳ８に進ませ、ユーザＰＣの表示部に図１３で示すようなプライベート情報ページを表示させる。
【００６１】
以上のクライアントの詳細表示は、制御手段１により、その情報を利用できるユーザにしか表示されないようになっている。たとえば、クライアントが商品配達ができない地域を指定しているユーザには、商品配達依頼の操作は、選択できないようになっている。このように、ユーザは、利用できないサービスの情報を閲覧する事がなくなり、利用できる必要な情報のみを収集することができる。
【００６２】
２−１−６：情報の発信（おしえてメール）
ユーザは、情報を収集するのみでなく、メールシステムを利用してクライアントに情報を発信することも可能である。図１０、図１３に示す画面には、提供情報のほかに、メール送信操作ができる表示部がある。ここでは、図１０も図１３も同じであるので、以下、図１３のみを例にとることにする。
【００６３】
図１３には、Ｅ１５の「おしえてメール」の表示がある。ここで、ユーザは、カテゴリーを選択して、メールシステムを利用して情報発信操作をする。たとえば、ユーザが、「居住地区立川市羽衣町５ｋｍ圏内」で「３ＬＤＫのマンション」を「３０００万円以下」で探していたとする。この場合、ユーザは、まず、Ｅ１９の「お家情報」をマウスクリックする。すると、これを検知した制御手段１は、手順をステップＳ４ａからＳ５に進ませて、ユーザＰＣの表示部に図Ｇに示すようなメール送信画面を表示させる。メール送信画面で、ユーザは、クライアント項目（「居住地区立川市羽衣町５ｋｍ圏内」で「３ＬＤＫのマンション」を「３０００万円以下」で探している）をチェックする。ユーザは、入力に間違いがなければ、送信ボタンＧ１をマウスクリックし、「送信」処理を選択する。すると、これを検知した制御手段１は、ユーザの選択した情報、すなわち、「居住地区立川市羽衣町５ｋｍ圏内」で「３ＬＤＫのマンション」を「３０００万円以下」で提供しているクライアントにこのメールを配信する。この後、制御手段１は、手順を図６に示したステップＳ７に進ませ、ユーザが、「終了します」を選択すると、ステップＳ８に進ませ、図１３に示すようなプライベート情報提供画面をユーザＰＣの表示部に表示させる。
【００６４】
このように、ユーザは、単に情報を収集するのみでなく、自分の希望商品と希望価格と地域を指定して、メールを送信することによって、簡単かつ迅速に、自分の生活圏に即したより希望を満たしてくれるクライアントを見つけることができる。
【００６５】
なお、この情報発信のユーザのメールには、制御手段１によってリクエストＩＤが自動的に割り振られ、各クライアント毎に記憶手段６に保存される。そしてこれらの情報は、リクエストＩＤが付された情報として、クライアントに配信されるので、ユーザのメールアドレスがクライアントに直接表示されることはなく、ユーザのプライバシーは保たれる。
【００６６】
２−１−７：メールの閲覧
２−１−６の様に、ユーザが情報発信すると、それに対するクライアントからの返信（レスポンス）を受け取ることができる。この情報を閲覧することにより、ユーザは、より自分の希望を満たしてくれるクライアントを見つけることができるのである。クライアントからの返信情報は、制御手段１によって、一度記憶手段６に転送され、リクエストＩＤからメールアドレスに変換されてから、ユーザのメールアドレス宛に返信される。ユーザは、図６のステップＳ１ａで「メールの閲覧」の処理を選択すると、制御手段１は、図１６に示すような「メール閲覧画面」をユーザＰＣの表示部に表示させる。ここで、ユーザは、クライアントからの情報を閲覧することができる。
【００６７】
２−１−８：オフライン情報閲覧
確かに必要な地区を登録しておけば、短時間かつ簡単な操作で再度同じ地域情報を表示させることができる。ただ、ユーザは常に、この情報提供サービスを享受するために、電話回線などを介して利用する必要があり、電話回線使用料などの通信費がかかる。そこで、オリジナルアプリケーションを利用すれば、オフラインで収集情報を閲覧することが可能となる。
【００６８】
まず、ユーザは、ユーザＰＣにおいて、専用ツールを起動する。すると、制御手段１１は、手順を図８のステップＳ１に進ませ、ユーザＰＣの表示部に図２３に示すような総合エントランス画面を表示させる。図２３の画面には、既に登録済みの地域情報が表示される。ここで、ユーザは、地域情報をオフラインで閲覧することができる。ただ、この情報は、クライアントによって随時情報更新されている可能性がある。そこで、最新情報をダウンロードすることもできる。かかる場合、ユーザは、図２３に示す画面の更新ボタンＯ１をマウスクリックする。すると、かかる操作を検知した制御手段１１は、手順を図８のステップＳ２に進ませ、ユーザＰＣをインターネットに接続し、さらにシステムに接続する。そして、当該ユーザに対応する最新情報を抽出し、その情報をユーザＰＣにインターネットを介して送信する。送信された情報がユーザＰＣに受信された後、インターネットから切断する。最新情報がダウンロードされると、制御手段１１は、手順を図８のステップＳ３に進ませ、ユーザＰＣの表示部に情報を更新し、図２３のような総合エントランス画面を表示させる。
【００６９】
さらに、専用ツールによれば、２−１−５のショッピング・問い合わせメール、２−１−６おしえてメール発信、２−１−７メール閲覧が、オフラインで可能である。ユーザが図２３で示すような総合エントランス画面で、おしえてメールボタンＯ２をマウスクリックすると、これを検知した制御手段１１は、手順を図８のステップＳ４に進ませ、ユーザＰＣの表示部に図２４に示すようなおしえてメール画面を表示させる。同様に、ショッピングボタンＯ３をマウスクリックすると、図２５に示すようなショッピング画面が表示される。
【００７０】
ユーザは、それぞれの画面で、オフラインで作業をすることが可能である。例えば、図２４で示すような画面で、メールを送信する際に、送信ボタンＰ１をマウスクリックすれば、制御手段１１は、手順を図８のステップＳ５に進ませ、ユーザＰＣをインターネットに接続し、さらにシステムに接続する。そして、そのメールは一時システムに保存され、その後、メールに対応するクライアントにメール配送される。メールが送信された後は、インターネットから切断される。
【００７１】
このように、ユーザは、所定の位置を一度登録しておけば、簡単な操作でその周辺の情報をオフラインで常に閲覧することができ、必要時のみ、インターネットに接続すればよいので、電話回線使用料などの費用が節約できる。
【００７２】
２−２：クライアントにおける当システム利用方法
クライアントがいかにして、情報を公開し、ユーザとの情報交換することができるかについて説明する。
【００７３】
２−２−１：情報の登録方法
クライアントは、情報を登録することによって、ユーザに情報を公開することができる。まず、図７に示したステップＳ１において、クライアントＰＣがシステム（おしえてネット）に接続されると、制御手段１は、クライアントＰＣの表示部に図１７に示すような登録変更画面（エントランス）を表示する。この登録変更画面でクライアントは、「新規登録」の処理を選択する。そして、入力ボックスＩ１の表示領域にマウスカーソルを位置させてクリックし、入力部に登録者ＩＤを入力する。この後、同様に、クライアントは、マウスカーソルを入力ボックスＩ２の表示領域に位置させてクリックし、入力部にパスワードを入力する。そして、これらの操作が完了すると、クライアントは、その旨をシステム（おしえてネット）に側に伝えるべく、ログインボタンＩ３をマウスクリックする。
【００７４】
かかる操作により、手順がステップＳ３に進み、制御手段１は、重複登録を避けるべく、入力されたクライアントＩＤとパスワードとがすでに使用されているか否かにについて、すでに作成されたクライアントファイルを検索することによりチェックする。ここで、制御手段１は、すでにこれらが使用されていると判断すれば、手順をステップＳ４に進ませ、クライアントＰＣの表示部に対して「ＩＤかパスワードが不正である」旨を表示させて、手順を再び、ステップＳ２に戻して、ＩＤおよびパスワードを入力させる。一方、制御手段１は、ＩＤとパスワードが使用されていないと判断すれば、手順を次のステップＳ５に進ませる。
【００７５】
ステップＳ５において、制御手段１は、クライアントＰＣの表示部に対して、図１８に示すような、登録変更画面を表示する。ここで、クライアントは、「新規登録」処理を選択する。図１８で示した画面には、クライアント情報を登録する入力ボックスＪ１〜Ｊ１４が表示される。入力ボックスＪ１〜Ｊ１３の表示領域にマウスカーソルを位置させてクリックした後、入力部に公開したい情報を入力する。クライアントの分類は、プルダウン形式で選択させるボタンＪ１４が設けられている。マウスカーソルを位置させてクリックすれば、情報が入力できる。商品登録は、ボタンＪ２３をマウスクリックして、制御手段１によって、表示される商品登録画面で入力をする。
【００７６】
クライアントは、図１８で示した情報登録ページにおいて入力終了後、表示確認操作を選択すると、制御手段１は、手順をステップＳ６に進ませて、図１２に示すような入力した情報の確認ページをクライアントＰＣの表示部に表示し、クライアントは、入力内容に誤りがないか確認できる。入力内容に誤りがなければ、「登録」の処理を選択する。すると、これを検知した制御手段１は、クライアントＰＣの表示部に対し、「登録しました」旨の表示を行うとともに、図１８の情報登録画面において入力された情報と、入力した地域指定情報から本システムにおいて検出された概算緯度経度情報、を１つのクライアントファイルとして、クライアント登録番号を付し、記憶手段４（クライアント情報）に格納する。
【００７７】
このようにして、クライアント情報は登録でき、これに対応してクライアントファイルが作成され、記憶手段４（クライアント情報）に格納されるのである。
【００７８】
２−２−２：登録情報の閲覧
登録されたクライアント情報は、クライアントの指定した地域のその情報を必要とするユーザに情報公開される。クライアントは、公開する情報を確認のため、閲覧することができる。まず、図７に示したステップＳ１において、クライアントＰＣがシステム（おしえてネット）に接続されると、制御手段１は、クライアントＰＣの表示部に図１７に示すような登録変更画面（エントランス）を表示する。この登録変更画面でクライアントは、入力ボックスＩ１の表示領域にマウスカーソルを位置させてクリックし、入力部に登録者ＩＤを入力する。この後、同様に、クライアントは、マウスカーソルを入力ボックスＩ２の表示領域に位置させてクリックし、入力部にパスワードを入力する。そして、これらの操作が完了すると、クライアントは、その旨をシステム（おしえてネット）に側に伝えるべく、ログインボタンＩ３をマウスクリックする。
【００７９】
かかる操作により、制御手段１は、手順をステップＳ３に進ませ、入力されたクライアントＩＤとパスワードが、登録してあるクライアント登録番号に対応するクライアントファイルのクライアントＩＤとパスワードに一致するかをチェックする。ここで、制御手段１は、これらが一致しないと判断すれば、手順をステップＳ４に進ませ、クライアントＰＣの表示部に対して「ＩＤかパスワードが不正である」旨を表示させて、手順を再び、ステップＳ２に戻して、ＩＤおよびパスワードを入力させる。一方、制御手段１は、ＩＤとパスワードが一致していると判断すれば、手順を次のステップＳ５に進ませる。
【００８０】
ここで、クライアントが「登録情報閲覧」操作を選択すると、制御手段１は、入力されたクライアントＩＤに対応するクライアント登録番号のクライアントファイルを記憶手段４（クライアント情報）から読み出し、図１２に示すような表示確認画面をクライアントＰＣの表示部に表示させる。このように、クライアントは、ＩＤとパスワードの入力のみによって、簡単に登録情報を閲覧することができる。
【００８１】
２−２−３：登録情報の変更・削除
本システムによれば、表示期間が管理されるので、例えば「新入荷」という情報は、掲載後約１ヶ月公開し、「＊＊セール」は、セール前１週間からセール最終日迄公開といった公開手段を選択することによって、このような情報は、表示期間を経過すれば、削除されていく。とはいうものの、クライアントは、ユーザが必要とする情報を効率的に提供するために、登録した情報を変更・削除したい場合が生じる。
【００８２】
かかる場合に、クライアントは、図７に示したステップＳ２において表示される図１７に示すような登録変更画面（エントランス）で、入力部に登録者ＩＤとパスワードを入力する。そして、クライアントはボタンＩ３をマウスクリックする。かかる操作により、制御手段１は、手順をステップＳ３に進ませ、入力されたクライアントＩＤとパスワードが、登録してあるクライアント登録番号に対応するクライアントファイルのクライアントＩＤとパスワードに一致するかをチェックする。ここで、制御手段１は、これらが一致しないと判断すれば、手順をステップＳ４に進ませ、クライアントＰＣの表示部に対して「ＩＤかパスワードが不正である」旨を表示させて、手順を再び、ステップＳ２に戻して、ＩＤおよびパスワードを入力させる。一方、制御手段１は、ＩＤとパスワードが一致していると判断すれば、手順を次のステップＳ５に進ませる。
【００８３】
ここで、クライアントが「登録情報変更・追加」操作を選択すると、制御手段１は、入力されたクライアントＩＤに対応するクライアント登録番号のクライアントファイルを記憶手段４（クライアント情報）から読み出し、図１８に示すような登録変更画面をクライアントＰＣの表示部に表示させる。図１８で示した画面において、クライアント基本情報（Ｊ１〜Ｊ９、Ｊ１４）の情報を更新したい場合は、Ｊ１〜Ｊ９とＪ１４の更新の必要な入力部に更新情報を入力した後、更新ボタンＪ１５をマウスクリックする。削除したい場合は、削除ボタンＪ１６をマウスクリックする。すると、これを検知した制御手段１は、記憶手段４（クライアント情報）からこのクライアントのクライアントファイルを削除する。表示期間の管理できる公開情報（Ｊ１０〜Ｊ１３）に関しても、新規情報を登録したい場合には、新規ボタンＪ１７をマウスクリックすると、新規の入力部Ｊ１０〜Ｊ１３が表示されるので、新規情報を入力する。表示されている情報を更新したい場合は、矢印ボタンＪ２１、Ｊ２２をマウスクリックして更新したい情報を表示させ、Ｊ１０〜Ｊ１３の更新の必要な入力部に更新情報を入力した後、更新ボタンＪ１８をマウスクリックする。表示されている情報を削除したい場合は、矢印ボタンＪ２１、Ｊ２２をマウスクリックして削除したい情報を表示させ、削除ボタンＪ１９をマウスクリックすると、その表示されている情報は削除される。商品登録に関しては、ボタンＪ２３をマウスクリックして、制御手段１によって、表示される商品登録画面で入力をし、変更・削除・更新処理を行う。
【００８４】
そして、クライアントは、変更・削除の処理の終了後、表示確認操作を選択すると、制御手段１は、手順をステップＳ６に進ませて、図１２に示すような変更後の入力した情報の確認ページをクライアントＰＣの表示部に表示し、クライアントは、入力内容に誤りがないか確認できる。入力内容に誤りがなければ、「登録」の処理を選択する。
【００８５】
すると、これを検知した制御手段１は、クライアントＰＣの表示部に対し、「変更を登録しました」旨の表示を行うとともに、図１８の情報登録画面において、変更・削除処理された情報と本システムにおいて検出されたそれぞれの概算緯度経度情報、を修正前と同じクライアント登録番号のクライアントファイルとして記憶手段４（クライアント情報）に格納しなおす。このように、クライアントは、簡単な操作によって、登録情報を変更・削除することができる。
【００８６】
２−２−４：マーケット情報の閲覧
ユーザの検索パターン等は、本システムに蓄積され、マーケット情報を集計し保存されている。クライアントは、この蓄積された情報を閲覧し、効率的な情報公開のために利用することができる。
【００８７】
かかる場合に、クライアントは、図７に示したステップＳ５の図１８に示すような情報登録画面において、「マーケット情報の閲覧」の処理を選択することができる。クライアントは、Ｊ２０の「マーケット情報閲覧」ボタンをマウスクリックする。すると、これを検知した制御手段１は、クライアントＰＣの表示部に、クライアントが「集計期間」「エリア」等を指定できるようなマーケット情報閲覧画面を表示させる。ここで、クライアントが「集計期間」「エリア」等を指定する事により、制御手段１は、記憶手段７（マーケット情報）から、分析・集計・グラフ化した情報を図１９で示すような画面で表示させる。
【００８８】
２−２−５：ユーザ情報の受信（おしえてメール）
クライアントの情報提供指定範囲に存するユーザのリクエスト情報を、ユーザの指定地域と業種条件を満たすクライアントは、受信、閲覧することができる。この情報を閲覧することにより、クライアントは、自分の商圏に属するユーザの情報を収集し、効率的かつ対話的な営業をすることができることになる。
【００８９】
かかる情報を受信する場合には、図７に示したステップＳ１で、クライアントは専用ツールを利用することになる。クライアントは、クライアントＰＣにおいて、専用ツールを起動する。すると、制御手段８は、手順を図７のステップＳ７に進めて、クライアントＰＣの表示部に図２０に示すようなメイン画面を表示させる。そして、図２０の画面の「おしえてメール」ボタンＬ１をマウスクリックする。かかる操作を検知した制御手段８は、手順を図７のステップＳ８に進めて、クライアントＰＣの表示部に図２１で示すようなリクエスト情報閲覧画面を表示させる。そこで、リクエスト情報の受信操作を選択すべく、図２１の画面の「ダウンロード」ボタンＭ１をクリックする。すると、制御手段８は、クライアントＰＣをインターネットに接続し、さらにシステムに接続する。そして、記憶手段６（通信情報）から、当該クライアントに対応するリクエスト情報を抽出し、その情報をクライアントＰＣにインターネットを介して送信する。送信された情報がクライアントＰＣに受信された後は、インターネットから切断される。これにより、制御手段８は、クライアントＰＣの表示部に図２１で示すようなリクエスト情報閲覧画面に受信情報を表示させる。ここで、クライアントは、受信したユーザのリクエスト情報を閲覧することができるのである。受信後は、オフラインで、情報を閲覧することができるので、電話回線使用料等の費用が節約できる。
【００９０】
なお、ここでのリクエスト情報には、制御手段１によって、リクエストＩＤが付されているので、クライアントはユーザのメールアドレスを知ることはできず、ユーザのプライバシーは保たれる。
【００９１】
２−２−６：ユーザ情報の返信
クライアントは、リクエスト情報を発信したユーザのメールアドレスを知ることはできないが、専用ツールを利用して返送をすることができる。クライアントは、リクエストを受信後、図７のステップ８において、表示される図２１で示すようなリクエスト情報閲覧画面で、「返信」操作を選択する。かかる場合、クライアントが、ボタンＭ２をマウスクリックすると、制御手段８は、返送画面をクライアントＰＣの表示部に表示させる。ここで、入力画面に返信内容を入力し、送信ボタンをマウスクリックすると、制御手段８は、その返送情報を一時記憶手段に保存する。その後、クライアントが一括送信操作を選択すると、制御手段８は、保存されていた返送情報を、リクエストＩＤに対応させて、本システムに転送する。この転送された返送情報は、制御手段１により、リクエストＩＤからメールアドレスに変換され、ユーザに送信されることになる。この場合も、返信情報の転送中のみ、インターネットと接続すればよく、ほとんど、オフラインで作業ができるので、おちついて、返送情報を入力することができ、電話回線使用料等の費用が節約できる。
【００９２】
２−２−７：受注情報の受信
２−２−５の場合と同様に、クライアントは、ユーザからの受注情報も受信することができる。
【００９３】
図７のステップＳ７において表示される図２０に示すようなメイン画面において、クライアントは、「受注管理」ボタンＬ２をマウスクリックする。かかる操作を検知した制御手段８は、手順を図７のステップＳ９に進めて、クライアントＰＣの表示部に図２２で示すような受注管理画面を表示させる。そこで、受注情報の受信操作を選択すべく、図２２の画面の「ダウンロード」ボタンＮ１をクリックする。すると、制御手段８は、クライアントＰＣをインターネットに接続し、さらにシステムに接続する。そして、記憶手段６（通信情報）から、当該クライアントに対応する受注情報を抽出し、その情報をクライアントＰＣにインターネットを介して送信する。送信された情報がクライアントＰＣに受信された後は、インターネットから切断される。これにより、制御手段８は、クライアントＰＣの表示部に図２２で示すような受注管理画面に受注情報を表示させる。ここで、クライアントは、受信したユーザの受注情報を閲覧することができるのである。
【００９４】
２−２−８：受注情報の業務処理
クライアントが受注情報を閲覧後は、専用ツールを利用すれば、その後の各業務処理が簡単な操作で可能となる。
【００９５】
図７のステップＳ９において表示される図２２に示すような受注管理画面において、クライアントは、各業務処理の操作を選択すべく、「各業務処理」ボタンＮ３をクリックする。また、クライアントは、ユーザに返事を出したいときは、返信ボタンＮ２をマウスクリックする。かかる操作を検知した制御手段８は、手順を図７のステップＳ１０に進める。ここで、配送に必要なタックシール・請求書等の印刷処理、それに伴う発注確認、配送確認、入金確認等を選択すると、これを検知した制御手段８は、それぞれの処理画面をクライアントＰＣの表示部に表示させる。また、ユーザが発注する際にショッピングＩＤが発行されている為、そのＩＤが上記業務処理毎に割り振られ一括管理のユニークなＩＤとして扱われる。その為、ユーザからの問い合わせに対し、ショッピングＩＤを頼りに、瞬時に対応する事が可能であるので、クライアントは、各種業務を簡単に行えるだけでなく、徹底した顧客管理も可能となる。
【００９６】
２−２−９：オフライン作業
確かに、本システムを利用すれば、２−２−１、２−２−２、２−２−３のようにクライアントＩＤとパスワードの入力で、簡単に情報登録、変更作業が行える。ただ、クライアントは、この作業をするために、電話回線などを介して利用する必要があり、電話回線使用料等の通信費がかかる。そこで、本システムの専用ツールを利用すれば、ほとんどオフラインで、クライアントの情報登録、閲覧、変更作業が行える。即ち、専用ツールによって、２−２−１、２−２−２、２−２−３で表示される図１７、図１８、図１２で示されるような画面が、クライアントＰＣに表示されるので、クライアントは、この画面で必要項目を入力すればよい。クライアントが、情報入力後、送信する操作を選択すると、制御手段８は、登録情報のみをサーバ内のデータベースに送信し、情報を登録、変更する。
【００９７】
従って、情報提供者にとっては、情報の登録、更新、削除の作業は、時間をかけて行い、表示確認を慎重に行う事が出来る。電話回線などを介してデータを送信する時間は短縮され通信費の節約となる。また、サーバ側のデータをオンラインの状態で直接更新する場合、直ぐに間違いに気がついて訂正してもユーザは既にその情報をダウンロードしてしまう可能性あるので、オフラインで作業することはそのような支障を未然に防ぐ事にも役立つ。
【００９８】
２−２−１０：メールマガジン、及び地域別バナー広告の利用方法
クライアントは、当社との連携により地域範囲を特定したメールマガジンやユーザが特定地域の情報を閲覧している場合、そのページのある部分に企業広告を表示する事ができる。利用方法に関しては、個別対応となる為、本説明では割愛する事とする。
【符号の説明】
【００９９】
１．制御手段（サーバ側）
２．記憶手段（サーバ側メインプログラム情報）
３．記憶手段（サーバ側地図情報）
４．記憶手段（サーバ側クライアント情報）
５．記憶手段（サーバ側ユーザ情報）
６．記憶手段（サーバ側通信情報）
７．記憶手段（サーバ側マーケット情報）
８．制御手段（クライアント側）
９．記憶手段（クライアント側プログラム及びデータ）
１０．制御手段（ユーザ側）
１１．記憶手段（ユーザ側プログラム及びデータ）
【図１】
2010044788.tif 000003
【図２】
2010044788.tif 000004
【図３】
2010044788.tif 000005
【図４】
2010044788.tif 000006
【図５】
2010044788.tif 000007
【図６】
2010044788.tif 000008
【図７】
2010044788.tif 000009
【図８】
2010044788.tif 000010
【図９】
2010044788.tif 000011
【図１０】
2010044788.tif 000012
【図１１】
2010044788.tif 000013
【図１２】
2010044788.tif 000014
【図１３】
2010044788.tif 000015
【図１４】
2010044788.tif 000016
【図１５】
2010044788.tif 000017
【図１６】
2010044788.tif 000018
【図１７】
2010044788.tif 000019
【図１８】
2010044788.tif 000020
【図１９】
2010044788.tif 000021
【図２０】
2010044788.tif 000022
【図２１】
2010044788.tif 000023
【図２２】
2010044788.tif 000024
【図２３】
2010044788.tif 000025
【図２４】
2010044788.tif 000026
【図２５】
2010044788.tif 000027